(57)【特許請求の範囲】
【請求項１】
共通の伝送路と当該共通の伝送路から支線を介して接続された複数のコントロールユニットが、相互に通信が可能なネットワークシステムにおいて、
前記複数のコントロールユニットすべてに対してパラレルライン又はシリアルラインで接続され、前記複数のコントロールユニットそれぞれが自ユニットから他ユニットのすべてに対して前記共通の伝送路及び前記支線を介して問い合わせ信号を発信させ、当該問合せ信号に対する他ユニットそれぞれからの応答信号を受信して、前記支線または前記共通の伝送路の途中点における通信の健全性を判定する健全性判定手段と、
前記複数のコントロールユニット間の１対１の組合せすべてを一覧できる相関マップ形式で表示し、かつ、その１対１の組合せに対応する前記相関マップ上の升目それぞれを、前記健全性判定手段によって前記通信が健全に行えたと判定したものと不調と判定したものとを識別する形態で色変え表示するマップ表示手段とを備え、
前記マップ表示手段は、前記通信が不調と判定された場合には、不調と判定された升目に表示される文字以外を色変え表示する
ことを特徴とするネットワーク診断装置。
【請求項２】
前記複数のコントロールユニットのいずれかが通信異常を示す異常検出信号を出力した時に、前記健全性判定手段に前記ネットワーク診断処理を開始させる異常検出手段を備えた
ことを特徴とする請求項１に記載のネットワーク診断装置。
【請求項３】
共通の伝送路と当該共通の伝送路から支線を介して接続された複数のコントロールユニットが、相互に通信が可能なネットワークに対して、前記複数のコントロールユニットすべてに対してパラレルライン又はシリアルラインで接続し、
前記複数のコントロールユニットそれぞれが自ユニットから他ユニットのすべてに対して前記共通の伝送路及び前記支線を介して問い合わせ信号を発信させ、当該問合せ信号に対する他ユニットそれぞれからの応答信号を受信して、前記支線または前記共通の伝送路の途中点における通信の健全性を判定し、
前記複数のコントロールユニット間の１対１の組合せすべてを一覧できる相関マップ形式で表示し、かつ、その１対１の組合せに対応する前記相関マップ上の升目それぞれを、前記通信が健全に行えたと判定したものと不調と判定したものとを識別する形態で色変え表示し、
前記通信が不調と判定された場合には、不調と判定された升目に表示される文字以外を色変え表示する
ことを特徴とするネットワーク診断方法。
【請求項４】
共通の伝送路と当該共通の伝送路から支線を介して接続された複数のコントロールユニットが、相互に通信が可能なネットワークシステムにおいて、
前記複数のコントロールユニットそれぞれが、外部からの健全性診断指令を受けて、自ユニットからネットワークに接続されている他のすべてのコントロールユニットに対して前記共通の伝送路及び前記支線を介して問い合わせ信号を発信し、かつ当該問合せ信号に対する他ユニットそれぞれからの応答信号を受信してその応答結果を外部に出力する健全性チェック判定手段と、
前記複数のコントロールユニット間の１対１の組合せすべてを一覧できる相関マップ形式で表示し、かつ、その１対１の組合せに対応する前記相関マップ上の升目それぞれを、前記健全性チェック手段が前記通信が健全に行えたと判定したものと不調と判定したものとを識別する形態で色変え表示するマップ表示手段とを備え、
前記マップ表示手段は、前記通信が不調と判定された場合には、不調と判定された升目に表示される文字以外を色変え表示する
ことを特徴とするネットワークシステム。
【発明の詳細な説明】
【０００１】
【発明の属する技術分野】
本発明は、ネットワーク診断装置、ネットワーク診断方法及びネットワーク診断機能を有するネットワークシステムに関する。
【０００２】
【従来の技術】
従来、共通通信線からそれぞれ支線を介して接続されたコントロールユニットを有するネットワークの診断方法としては、各コントロールユニットが自ユニットにおいて通信異常が生じたことを検出した場合、コントロールユニットごとに設けられている通信異常表示ランプを点灯させて使用者に通信異常を伝え、使用者がコントロールユニットを交換することでネットワークを正常な状態に復帰させるようにしている。
【０００３】
【発明が解決しようとする課題】
しかしながら、このような従来のネットワーク診断方法では、コントロールユニット自身が故障した場合は、それを交換することで正常に復帰するが、共通の伝送路のある箇所で断線故障し、また地絡故障を起こしたような場合には、各コントロールユニットの自己診断機能によっては故障箇所を特定できず、故障表示しているコントロールユニットを順に外していくなど故障部位の特定に時間とコストがかかる問題点があった。
【０００４】
本発明はこのような従来の問題点に鑑みてなされたもので、各コントロールユニット間の共通の伝送路の異常をも技術者が直感的に認識できるような相関マップの表示パターンによって表示できるネットワーク診断装置、ネットワーク診断方法及びネットワークシステムを提供することを目的とする。
【０００５】
【課題を解決するための手段】
請求項１の発明のネットワーク診断装置は、共通の伝送路と当該共通の伝送路から支線を介して接続された複数のコントロールユニットが、相互に通信が可能なネットワークシステムにおいて、前記複数のコントロールユニットすべてに対してパラレルライン又はシリアルラインで接続され、前記複数のコントロールユニットそれぞれが自ユニットから他ユニットのすべてに対して前記共通の伝送路及び前記支線を介して問い合わせ信号を発信させ、当該問合せ信号に対する他ユニットそれぞれからの応答信号を受信して、前記支線または前記共通の伝送路の途中点における通信の健全性を判定する健全性判定手段と、前記複数のコントロールユニット間の１対１の組合せすべてを一覧できる相関マップ形式で表示し、かつ、その１対１の組合せに対応する前記相関マップ上の升目それぞれを、前記健全性判定手段によって前記通信が健全に行えたと判定したものと不調と判定したものとを識別する形態で色変え表示するマップ表示手段とを備え、前記マップ表示手段は、前記通信が不調と判定された場合には、不調と判定された升目に表示される文字以外を色変え表示することを特徴とする。
【０００６】
請求項１の発明のネットワーク診断装置では、ネットワークシステムの異常発生をいずれかのコントロールユニットの故障ランプの点灯やその他の手段によって知らされた場合、当該ネットワーク診断装置を複数のコントロールユニットすべてに対してパラレルライン又はシリアルラインに接続する。そして、健全性判定手段により、複数のコントロールユニットそれぞれが自ユニットから他ユニットのすべてに対して問合せ信号を発信させ、当該問合せ信号に対する他ユニットそれぞれからの応答信号を受信して各ユニット間の通信の健全性を判定させ、マップ表示手段により、複数のコントロールユニット間の１対１の組合せすべてを一覧できる相関マップ形式で表示させ、かつ、その１対１の組合せに対応する相関マップ上の升目それぞれを、健全性判定手段が通信が健全に行えたと判定したものと不調と判定したものとを識別する形態で表示させる。
【０００７】
これにより、技術者はネットワークシステムに対して当該装置を接続するだけで、マップ表示手段の表示する相関マップにおいて、通信の不調を示す升目がどのようなパターンで並ぶかにより、いずれのコントロールユニットあるいはいずれのコントロールユニットに対する支線が異常になったか、共通通信線が故障になったか、あるいは地絡故障が発生したかを直感的に、かつ明確に判断することができるようになる。
【０００８】
請求項２の発明のネットワーク診断装置は、請求項１において、さらに、前記複数のコントロールユニットのいずれかが通信異常を示す異常検出信号を出力した時に、前記健全性判定手段に前記ネットワーク診断処理を開始させる異常検出手段を備えたものであり、特に車載のネットワークシステムに対して、異常検出手段が監視し、異常を検出したときには自動的にネットワーク診断処理を開始し、ネットワークシステムの診断結果をその異常発生コントロールユニット、異常発生箇所に応じた表示パターンで表示して技術者に示すことができ、技術者は車上においてネットワークシステムの異常の有無と共に異常発生場所の特定ができるようになる。
【０００９】
請求項３の発明のネットワーク診断方法は、共通の伝送路と当該共通の伝送路から支線を介して接続された複数のコントロールユニットが、相互に通信が可能なネットワークに対して、前記複数のコントロールユニットすべてに対してパラレルライン又はシリアルラインで接続し、前記複数のコントロールユニットそれぞれが自ユニットから他ユニットのすべてに対して前記共通の伝送路及び前記支線を介して問い合わせ信号を発信させ、当該問合せ信号に対する他ユニットそれぞれからの応答信号を受信して、前記支線または前記共通の伝送路の途中点における通信の健全性を判定し、前記複数のコントロールユニット間の１対１の組合せすべてを一覧できる相関マップ形式で表示し、かつ、その１対１の組合せに対応する前記相関マップ上の升目それぞれを、前記通信が健全に行えたと判定したものと不調と判定したものとを識別する形態で色変え表示し、前記通信が不調と判定された場合には、不調と判定された升目に表示される文字以外を色変え表示することを特徴とする。
【００１０】
請求項３の発明のネットワーク診断方法では、技術者は表示される相関マップにおいて、通信の不調を示す升目がどのようなパターンで並ぶかにより、いずれのコントロールユニットが故障したか、いずれのコントロールユニットに対する支線が異常になったか、共通通信線が故障になったか、あるいは地絡故障が発生したかを直感的に、かつ明確に判断することができるようになる。
【００１１】
請求項４の発明のネットワークシステムは、共通の伝送路と当該共通の伝送路から支線を介して接続された複数のコントロールユニットが、相互に通信が可能なネットワークシステムにおいて、前記複数のコントロールユニットそれぞれが、外部からの健全性診断指令を受けて、自ユニットからネットワークに接続されている他のすべてのコントロールユニットに対して前記共通の伝送路及び前記支線を介して問い合わせ信号を発信し、かつ当該問合せ信号に対する他ユニットそれぞれからの応答信号を受信してその応答結果を外部に出力する健全性チェック判定手段と、前記複数のコントロールユニット間の１対１の組合せすべてを一覧できる相関マップ形式で表示し、かつ、その１対１の組合せに対応する前記相関マップ上の升目それぞれを、前記健全性チェック手段が前記通信が健全に行えたと判定したものと不調と判定したものとを識別する形態で色変え表示するマップ表示手段とを備え、前記マップ表示手段は、前記通信が不調と判定された場合には、不調と判定された升目に表示される文字以外を色変え表示することを特徴とする。
【００１２】
請求項４の発明のネットワークシステムでは、このネットワークシステムの異常発生をいずれかのコントロールユニットの故障ランプの点灯やその他の手段によって知らされた場合、これにネットワーク診断装置に接続することによって、ネットワーク診断装置の健全性判定手段が複数のコントロールユニットそれぞれが自ユニットから他ユニットのすべてに対して問合せ信号を発信させ、当該問合せ信号に対する他ユニットそれぞれからの応答信号を受信して各ユニット間の通信の健全性を判定し、マップ表示手段が、複数のコントロールユニット間の１対１の組合せすべてを一覧できる相関マップ形式で表示し、かつ、その１対１の組合せに対応する相関マップ上の升目それぞれを通信が健全に行えたと判定したものと不調と判定したものとを識別する形態で表示する。
【００１３】
これにより、技術者はネットワークシステムに対してネットワーク診断装置を接続するだけで、マップ表示手段の表示する相関マップにおいて、通信の不調を示す升目がどのようなパターンで並ぶかにより、いずれのコントロールユニットが故障したか、いずれのコントロールユニットに対する支線が異常になったか、共通通信線が故障になったか、あるいは地絡故障が発生したかを直感的に、かつ明確に判断することができるようになる。
【００１４】
【発明の効果】
請求項１の発明のネットワーク診断装置によれば、技術者はネットワークシステムに対して当該装置を接続するだけで、マップ表示手段の表示する相関マップにおいて、通信の不調を示す升目がどのようなパターンで並ぶかにより、いずれのコントロールユニットが故障したか、いずれのコントロールユニットに対する支線が異常になったか、共通通信線が故障になったか、あるいは地絡故障が発生したかを直感的に、かつ明確に判断することができる。
【００１５】
請求項２の発明のネットワーク診断装置によれば、請求項１の発明の効果に加えて、特に車載のネットワークシステムに対しては、技術者が車上でネットワークシステムの異常の有無と共に異常発生場所の特定ができるようになる。
【００１６】
請求項３の発明のネットワーク診断方法によれば、技術者は表示される相関マップにおいて、通信の不調を示す升目がどのようなパターンで並ぶかにより、いずれのコントロールユニットが故障したか、いずれのコントロールユニットに対する支線が異常になったか、共通通信線が故障になったか、あるいは地絡故障が発生したかを直感的に、かつ明確に判断することができる。
【００１７】
請求項４の発明のネットワークシステムによれば、技術者はネットワークシステムに対してネットワーク診断装置を接続するだけで、マップ表示手段の表示する相関マップにおいて、通信の不調を示す升目がどのようなパターンで並ぶかにより、いずれのコントロールユニットが故障したか、いずれのコントロールユニットに対する支線が異常になったか、共通通信線が故障になったか、あるいは地絡故障が発生したかを直感的に、かつ明確に判断することができる。
【００１８】
【発明の実施の形態】
以下、本発明の実施の形態を図に基づいて詳説する。図１は車載のネットワークシステム１００に対して、本発明の１つの実施の形態のネットワーク診断装置２００を接続することによって構成されるネットワーク診断システムを示している。
【００１９】
ネットワークシステム１００は、ここではコントロールユニットＡ１０〜コントロールユニットＦ６０が共通の制御用通信線７０に対してそれぞれ接続された構成である。各コントロールユニットＡ１０〜コントロールユニットＦ６０は一般的な通信異常の自己診断機能を内蔵しており、また、異常検出時に点灯して技術者に知らせる通信異常表示器１４〜１９それぞれを備えている。また、全部のコントロールユニットＡ１０〜コントロールユニットＦ６０に診断用通信線８０が制御用通信線７０とは別に接続されており、この診断用通信線８０には外部接続用の接続端子８１が設けられている。
【００２０】
ネットワーク診断装置２００は、通信異常表示器１４〜１９のいずれかが異常を点灯によって知らせた場合に、技術者がネットワークシステム１００の診断用通信線８０の接続端子８１に接続して使用するものである。このネットワーク診断装置２００は、ネットワークシステム１００側との通信を制御する通信制御部２１０、通信中のコントロールユニットを判別するユニット判別部２２０、後述するコントロールユニットＡ１０〜コントロールユニットＦ６０間の相関マップを作成するマップ処理部２３０、そしてこのマップ処理部２３０が作成した相関マップを表示するマップ表示部２４０を備えている。
【００２１】
次に、上記の構成のネットワーク診断システムの動作を説明する。ネットワークシステム１００側のコントロールユニットＡ１０〜コントロールユニットＦ６０それぞれは、自ユニットと他ユニットとの間の通信ができなくなれば異常発生と自己診断して異常発生表示器１４〜１９のうち自ユニットに備えられているものを点灯させて技術者に知らせる。
【００２２】
技術者は異常発生表示器１４〜１９のいずれかが点灯すれば、ネットワークシステム１００にネットワーク診断装置２００を接続してネットワークシステムの異常発生箇所の特定を行なう。その手順は、次の通りである。
【００２３】
ネットワーク診断装置２００のユニット判別部２２０はシステム診断のために、ネットワークシステム１００側のコントロールユニットＡ１０に対して診断動作指令を発し、これを通信制御部２１０、接続端子８１、診断用通信線８０を介してコントロールユニットＡ１０に送る。
【００２４】
これを受けたコントロールユニットＡ１０では、図２のステップ２５０に示したように診断実行の指示を受け取ると制御用通信線７０に接続されている他のすべてのコントロールユニットＢ２０〜コントロールユニットＦ６０に診断信号を発信し、それぞれからの応答信号を受け取る。そして一定時間のうちに受け取った応答信号をその応答信号の送り出し先のユニット番号も付して診断用通信線８０を通じてネットワーク診断装置２００側に送信する。
【００２５】
ネットワーク診断装置２００側のユニット判別部２２０では、コントロールユニットＡ１０からの診断結果の信号を受け取ると、マップ処理部２３０に渡す。マップ処理部２３０では、図３に示すような相関マップ３００において、列（縦）方向３０１を診断信号の発信側ユニット、行（横）方向３０２を応答側ユニットとして（これは、特に縦横逆であっもよい）、例えば、コントロールユニットＡ１０の診断信号の発信に対して応答信号を返してきたのがコントロールユニットＢ２０，Ｃ３０，Ｄ４０であれば、コントロールユニットＡに対する横方向の各升目に１を登録し、所定時間内に応答信号を返して来なかったのがコントロールユニットＥ５０，Ｆ６０であれば、それらに対応する升目には０を登録する。
【００２６】
以下、ネットワーク診断装置２００側のユニット判別部２２０は、図２にステップ２５１〜２５５で示したように、コントロールユニットＢ２０〜コントロールユニットＦ６０それぞれについても同様の診断動作を順次、繰り返して行なわせ、図３に示したようにマップ処理部２３０は相関マップ３００において、応答信号を受け取れば１（３３１）、受け取れなければ０（３３０）を表す２進数データを該当する升目ごとに登録していく。そして、この診断処理の全体を、時間Ｔごとに繰り返す。
【００２７】
いま、図４（ａ）に示したように、コントロールユニットＣ３０に対して制御用通信線７０からの支線４００で断線その他の故障が発生したとすると、この場合、コントロールユニットＣ３０から発信される問合せ信号は他のすべてのコントロールユニットに届かず、したがって、他のすべてのコントロールユニットから応答信号を受け取ることもない。また、他のいずれのコントロールユニットから発信される問合せ信号に対しても、コントロールユニットＣ３０から応答信号が送り返されることもない。
【００２８】
したがって、相関マップ３００はこの場合、図４（ｂ）に示したように、コントロールユニットＣ３０の横列、つまり、マトリクス座標で示すと（ｘ１，ｙ３）〜（ｘ６，ｙ３）はすべて通信が不成立となり、これらの座標の升目にはそれぞれ０が登録されることになる。また、他のコントロールユニットＡ１０，Ｂ２０，Ｄ４０，Ｅ５０，Ｆ６０それぞれの横列では、コントロールユニットＣ３０に対応する升目部分だけに通信不成立を示す０が登録されることになる。
【００２９】
これにより、マップ処理部２３０で作成され、マップ表示部２４０の表示される相関マップ３００は図４（ｂ）に示したマップ３００−１のパターンのように表示されることになり、このパターン３００−１を見ることによって、技術者には、制御用通信線７０からコントロールユニットＣ３０に至る支線４００において故障が発生したことを直感的に理解できることになる。
【００３０】
また、図５（ａ）に示したように、制御用通信線７０の途中点４１０において断線その他の故障が発生したとすると、この場合、コントロールユニットＡ１０とコントロールユニットＢ２０との間の通信は可能であり、またコントロールユニットＣ３０〜コントロールユニットＦ６０の間の相互の通信も可能である。しかしながら、これらの両グループ間にまたがる通信は不可能である。
【００３１】
したがって、相関マップ３００はこの場合、図５（ｂ）に示したようなパターン３００−２で通信成立／不成立の相関マップが作成され、表示されることになり、このパターン３００−２を見ることによって、技術者には、制御用通信線７０において、コントロールユニットＢ２０とコントロールユニットＣ３０との間で何らかの異常が発生しているものと直感的に理解できることになる。
【００３２】
さらに、図６（ａ）に示したように、制御用通信線７０に地絡故障が発生したとすると、この場合、すべてのコントロールユニットＡ１０〜コントロールユニットＦ６０のいずれの間も通信不能となる。
【００３３】
したがって、相関マップ３００はこの場合、図６（ｂ）に示したようなパターン３００−３で通信成立／不成立の相関マップが作成され、表示されることになり、このパターン３００−３を見ることによって、技術者には、制御用通信線７０に地絡故障が発生したものと直感的に理解できることになる。
【００３４】
このようにしてこの第１の実施の形態のネットワーク診断装置によれば、これをネットワークシステムと接続し、相関マップを表示させることにより、その通信成立／不成立を識別するパターンに基づいて、どのコントロールユニットあるいは支線に故障が発生したのか、制御用通信線のどこに断線が発生したのか、地絡故障が発生したのかを一見しただけに容易に認識できるようになる。
【００３５】
なお、上記の実施の形態において、コントロールユニットは６台の場合について示したが、この台数が制限されることはない。また、通信成立／不成立の相関マップのパターン表示の形態も特に限定されるものではなく、色変えや濃淡によって表示することもできる。
【００３６】
また、上記の実施の形態では車載のネットワークシステム１００側でいずれかのコントロールユニットの故障表示器が故障表示をした場合に、ユーザーは修理工場に車両を持っていき、そこでネットワーク診断装置２００を診断用通信線８０の接続端子８１に接続して、ネットワーク診断を実施するものとしたが、これに限らず、次のような形態にすることもできる。
【００３７】
すなわち、図１に示したネットワークシステム１００とネットワーク診断装置２００とをはじめから接続した状態で車載しておき、かつ、ネットワーク診断装置２００側には、いずれかのコントロールユニットから診断用通信線を介して故障検出信号を受け取ったときに、上述したネットワーク診断を自動的に開始し、診断結果を相関マップとして表示する構成にすることができる。
【図面の簡単な説明】
【図１】本発明の１つの実施の形態のネットワークシステムとネットワーク診断装置とを接続して構成されるネットワーク診断システムを示すブロック図。
【図２】上記の実施の形態におけるネットワーク診断動作のタイミングチャート。
【図３】上記の実施の形態においてネットワーク診断装置が作成する相関マップの説明図。
【図４】ネットワークシステムの１つの通信支線の断線故障とその場合にネットワーク診断装置が作成する相関マップを示す説明図。
【図５】ネットワークシステムの制御用通信線の断線故障とその場合にネットワーク診断装置が作成する相関マップを示す説明図。
【図６】ネットワークシステムの制御用通信線の地絡故障とその場合にネットワーク診断装置が作成する相関マップを示す説明図。
【符号の説明】
１００  ネットワークシステム
２００  ネットワーク診断装置
３００  相関マップ
１０  コントロールユニットＡ
２０  コントロールユニットＢ
３０  コントロールユニットＣ
４０  コントロールユニットＤ
５０  コントロールユニットＥ
６０  コントロールユニットＦ
７０  制御用通信線
８０  診断用通信線
８１  接続端子
２１０  通信制御部
２２０  ユニット判別部
２３０  マップ処理部
２４０  マップ表示部
【図１】
0003875428.tif 000002
【図２】
0003875428.tif 000003
【図３】
0003875428.tif 000004
【図４】
0003875428.tif 000005
【図５】
0003875428.tif 000006
【図６】
0003875428.tif 000007